(57)【特許請求の範囲】
【請求項１】
マルチコアファイバの一端面と単芯光ファイバの一端面とを隙間を隔てて対向させ、前記マルチコアファイバにおける光入射対象のコアと、前記単芯光ファイバのコアとを光軸合わせする光軸調整工程と、
前記マルチコアファイバの一端面とは逆の端面側における前記光入射対象のコア端に入射され、前記単芯光ファイバの一端面とは逆の端面側におけるコア端から出射する光のパワーを測定する測定工程と、
前記マルチコアファイバにおいて互いに隣接する２つのコアの一方を前記光入射対象のコアとしたときに前記測定工程で測定された前記光のパワーと、前記２つのコアの他方を前記光入射対象のコアとしたときに前記測定工程で測定された前記光のパワーとの比を算出する算出工程と
を備え、
前記単芯光ファイバの一端面における少なくともコア端面以外の面領域は、前記コア端面の周縁から外側に向けて、前記単芯光ファイバの一端面とは逆の端面側へ傾斜している
ことを特徴とするクロストーク測定方法。
【請求項２】
前記面領域は、前記コア端面の中心から離れた位置ほど、当該位置の法線と前記単芯光ファイバの軸との角度が増す円弧状とされる
ことを特徴とする請求項１に記載のクロストーク測定方法。
【請求項３】
前記面領域は、テーパ状とされる
ことを特徴とする請求項１に記載のクロストーク測定方法。
【請求項４】
前記コア端面は、平坦とされ、前記単芯光ファイバの軸に対して垂直とされる
ことを特徴とする請求項１〜請求項３いずれか１項に記載のクロストーク測定方法。
【請求項５】
前記単芯光ファイバ端面には反射防止膜が付される
ことを特徴とする請求項１〜請求項４いずれか１項に記載のクロストーク測定方法。
【発明の詳細な説明】
【技術分野】
【０００１】
本発明はクロストーク測定方法に関し、マルチコアファイバにおけるクロストークを測定する場合に好適なものである。
【背景技術】
【０００２】
マルチコアファイバは、複数のコアと、当該コア間を埋めて複数のコア全体を包囲するクラッドとを含む構造を有し、それぞれのコアを介して信号を伝送することができる。
【０００３】
このようなマルチコアファイバではコア間におけるクロストークが起こるため、その特性を把握することが重要となる。クロストーク特性を測定する測定手法として、例えば、下記非特許文献１に開示された測定方法がある。
【０００４】
下記非特許文献１の測定方法では、マルチコアファイバの一端側に光源が配置され、当該マルチコアファイバの他端側にパワーメータが配置される。また、マルチコアファイバとパワーメータとの間に単芯光ファイバが配置される。
【０００５】
そして、マルチコアファイバのある１つのコアと単芯光ファイバのコアとを光軸合わせした状態で単芯光ファイバから出力される光と、当該１つのコアに隣接するコアと単芯光ファイバのコアとを光軸合わせした状態で単芯光ファイバから出力される光とのパワー比がパワーメータで測定される。
【０００６】
ところで、マルチコアファイバと単芯光ファイバとを融着した場合、マルチコアファイバのある１つのコアに融着した状態と、そのコアに隣接するコアに融着した状態とでは違いが生じ、その違いに起因する損失がパワーメータの測定値に反映してしまう。このため、下記非特許文献１の測定方法では、マルチコアファイバと単芯光ファイバとは融着せず光軸調整されている。
【先行技術文献】
【非特許文献】
【０００７】
【非特許文献１】ＩＥＩＣＥ  Ｔｒａｎｓ．Ｃｏｍｍｕｎ．，Ｖｏｌ．Ｅ９４−Ｂ，Ｎｏ．２，ｐｐ．４０９−４１６（２０１１）
【発明の概要】
【発明が解決しようとする課題】
【０００８】
ところが、クロストークが殆ど生じていない既知のマルチコアファイバを上記非特許文献１における測定方法で測定しても、比較的悪い測定値が得られる場合があるという課題が生じた。
【０００９】
そこで、本発明は、クロストーク特性をより正確に捉え得るクロストーク測定方法を提供することを目的とする。
【課題を解決するための手段】
【００１０】
本発明者は上記課題を解決するため鋭意検討した結果、マルチコアファイバと単芯光ファイバとを融着せずに光軸調整した場合、単芯光ファイバと光軸合わせされたマルチコアファイバのコア以外のコアから出射する光の迷光が単芯光ファイバのコアに入射することが、測定値が悪くなる要因の１つであろうと考えた。
【００１１】
そこで、本発明者は更に鋭意検討を重ねた結果、上記目的を達成し得る本発明に至った。
【００１２】
本発明のクロストーク測定方法は、マルチコアファイバの一端面と単芯光ファイバの一端面とを隙間を隔てて対向させ、前記マルチコアファイバにおける光入射対象のコアと、前記単芯光ファイバのコアとを光軸合わせする光軸調整工程と、前記マルチコアファイバの一端面とは逆の端面側における前記光入射対象のコア端に入射され、前記単芯光ファイバの一端面とは逆の端面側におけるコア端から出射する光のパワーを測定する測定工程と、前記マルチコアファイバにおいて互いに隣接する２つのコアの一方を前記光入射対象のコアとしたときに前記測定工程で測定された前記光のパワーと、前記２つのコアの他方を前記光入射対象のコアとしたときに前記測定工程で測定された前記光のパワーとの比を算出する算出工程とを備え、前記単芯光ファイバの一端面における少なくともコア端面以外の面領域は、前記コア端面の周縁から外側に向けて、前記単芯光ファイバの一端面とは逆の端面側へ傾斜していることを特徴とする。
【００１３】
このように面領域を傾斜させた場合、単芯光ファイバと光軸合わせされたマルチコアファイバを伝搬する光から生じる迷光を、単芯光ファイバのコアから遠ざけるように反射させ、単芯光ファイバの一端面が平坦である場合に比べて、単芯光ファイバのコアへの迷光の混入量を小さくすることができる。このため、単芯光ファイバのコアへの迷光の混入に起因する測定値の変動を抑制すことができ、この結果、クロストーク特性をより正確に捉えることが可能となる。
【００１４】
また、前記面領域は、前記コア端面の中心から離れた位置ほど、当該位置の法線と前記単芯光ファイバの軸との角度が増す円弧状とされることが好ましい。
【００１５】
このようにした場合、面領域において外方側の傾斜の程度を大きくしつつも、コア端面周縁部分を、単芯光ファイバの一端面が平坦である場合と同等の形状とすることが可能となる。このため、単芯光ファイバと光軸合わせされたマルチコアファイバを伝搬する光から生じる迷光を反射させつつも、光軸合わせされるマルチコアファイバと単芯光ファイバとのコア同士の光のフィールド分布を同等とすることができる。したがって、光軸合わせされるマルチコアファイバと単芯光ファイバとのコア同士の結合効率の低下を抑え、当該結合効率の低下に起因して測定値がノイズの影響を受け易くなるといったことを抑えることができる。この結果、クロストーク特性をより一段と正確に捉えることが可能となる。また、比較的簡易に作製することができる。
【００１６】
また、前記面領域は、テーパ状とされることが好ましい。
【００１７】
このようにした場合、コア端面周縁部分から傾斜させることが可能となるため、面領域を例えば球面状とする場合に比べて、単芯光ファイバのコアへの迷光の混入量をより一段と小さくすることができる。この結果、クロストーク特性をより一段と正確に捉えることが可能となる。
【００１８】
また、前記コア端面は、平坦とされ、前記単芯光ファイバの軸に対して垂直とされることが好ましい。
【００１９】
このようにした場合、コア端面を単芯光ファイバの長さ方向に垂直な平坦としない場合に比べて、単芯光ファイバのコアに光軸合わせされるマルチコアファイバのコアから出射する光が単芯光ファイバのコア端面で屈折して入射することを低減することができる。この結果、単芯光ファイバのコア端面での入射光の屈折に起因する損失を抑えることができ、より一段と正確にクロストーク特性をより正確に捉えることが可能となる。
【００２０】
また、前記単芯光ファイバ端面には反射防止膜が付されることが好ましい。
【００２１】
このようにした場合、反射防止膜が、マルチコアファイバのコアから出射する光から生じる迷光を吸収するため、単芯光ファイバのコアへの迷光の混入をより一段と抑制することができる。この結果、より一段と正確にクロストーク特性をより正確に捉えることが可能となる。
【発明の効果】
【００２２】
以上のように本発明によれば、クロストーク特性をより正確に捉え得るクロストーク測定方法が提供される。
【図面の簡単な説明】
【００２３】
【図１】第１実施形態におけるクロストーク測定対象となるマルチコアファイバの長さ方向に垂直な断面を示す図である。
【図２】第１実施形態におけるクロストーク測定装置の構成を示す図である。
【図３】第１実施形態における単芯光ファイバの一端部分を示す図である。
【図４】第１実施形態におけるクロストーク測定方法のフローチャートを示す図である。
【図５】マルチコアファイバから生じる迷光の様子を示す図である。
【図６】第２実施形態における単芯光ファイバの一端部分を示す図である。
【図７】マルチコアファイバの回転移動の様子を示す図である。
【図８】マルチコアファイバの回転移動させたときの実施例１と比較例との規格化受光パワーを示すグラフである。
【図９】単芯光ファイバのスライド移動の様子を示す図である。
【図１０】マルチコアファイバのスライド移動させたときの実施例１と比較例との規格化受光パワーを示すグラフである。
【図１１】マルチコアファイバの回転移動させたときの実施例２と比較例との規格化受光パワーを示すグラフである。
【図１２】マルチコアファイバのスライド移動させたときの実施例２と比較例との規格化受光パワーを示すグラフである。
【発明を実施するための形態】
【００２４】
（第１実施形態）
以下、本発明の好適な第１実施形態について図面を用いながら詳細に説明する。
【００２５】
図１は、第１実施形態におけるクロストーク測定対象となるマルチコアファイバの長さ方向に垂直な断面を示す図である。
【００２６】
図１に示すように、マルチコアファイバ１０は、複数本のコア１１と、それぞれのコア間を埋めて複数本のコア１１全体を包囲するクラッド１２と、クラッド１２の外周面を被覆する内側保護層１３と、内側保護層１３の外周面を被覆する外側保護層１４とを有する。各コア１１の屈折率は、クラッド１２の屈折率よりも高くされる。
【００２７】
本実施形態の場合、コア本数は７本とされ、１本のコア１１が中心となり、６本のコア１１が中心のコア１１から等距離となる関係で配置される。また、各コア１１の中心間距離は等しい距離とされ、クラッド１２の軸に対して各コア１１は対称とされる。
【００２８】
図２は、第１実施形態におけるクロストーク測定装置１の構成を示す図である。図２に示すように、クロストーク測定装置１は、光源２０と、単芯光ファイバ３０、パワーメータ４０とを主な構成要素として備える。
【００２９】
光源２０は、測定対象のマルチコアファイバ１０における１つのコア１１にレーザ光等の光を入射させる光学系であり、当該マルチコアファイバ１０において単芯光ファイバ３０の一端面ＳＥ１に対向される一端面ＭＥ１とは逆の端面ＭＥ２側に配置される。
【００３０】
この光源２０から出射される光をマルチコアファイバ１０に入射させるべき対象となるコア１１は、互いに隣接する２つのコアとされる。本実施形態の場合、光入射対象のコア１１として、クラッド１２の軸上に配置されるコア（以下、中央コア１１Ａという。）と、当該中央コア１１Ａに隣接するコア（以下、隣接コア１１Ｂという。）とされる。なお、図２では、便宜上、光入射対象の中央コア１１Ａと隣接コア１１Ｂとの２つのコアだけが示されている。
【００３１】
単芯光ファイバ３０は、ダミーファイバと呼ばれる光ファイバであり、マルチコアファイバ１０とパワーメータ４０との間に配置される。なお、単芯光ファイバ３０については、長さ方向に垂直な断面を図示しないが、コア３１（以下、単芯コアという。）と、当該単芯コア３１の外周面を隙間なく均等に包囲するクラッドと、当該クラッドの外周面を隙間なく均等に被覆する被服層とを有する構造とされ、例えばシングルモードファイバが用いられる。
【００３２】
この単芯光ファイバ３０の一端面ＳＥ１とマルチコアファイバ１０の一端面ＭＥ１とは隙間を隔てて互いに対向され、当該単芯光ファイバ３０の単芯コア３１は光入射対象の中央コア１１Ａと隣接コア１１Ｂとのそれぞれに光軸合わせされる。
【００３３】
なお、単芯光ファイバ３０の一端面ＳＥ１とマルチコアファイバ１０の一端面ＭＥ１との間の距離は、中央コア１１Ａと単芯コア３１とを光軸合わせしたときと、隣接コア１１Ｂと単芯コア３１とを光軸合わせしたときとで同じとされる。
【００３４】
パワーメータ４０は、マルチコアファイバ１０の一端面ＭＥ１とは逆の端面ＭＥ２側における中央コア端に入射され、当該中央コア１１Ａに光軸合わせされ単芯光ファイバ３０の一端面ＳＥ１とは逆の端面ＳＥ２側における単芯コア端から出射する光Ｌ１のパワー（以下、第１光パワーという。）を測定する。
【００３５】
またパワーメータ４０は、マルチコアファイバ１０の端面ＭＥ２側における中央コア端に入射され、当該隣接コア１１Ｂに光軸合わせされ単芯光ファイバ３０の端面ＳＥ２側における単芯コア端から出射する光Ｌ２のパワー（以下、第２光パワーという。）を測定する。
【００３６】
さらにパワーメータ４０は、第１光パワーと第２光パワーとを測定した場合、これら第１光パワーと第２光パワーとの比を算出する。
【００３７】
図３は、第１実施形態における単芯光ファイバ３０の一端部分を示す図である。図３に示すように、単芯光ファイバ３０の一端面ＳＥ１におけるコア端面ＣＦは、平坦とされ、当該単芯光ファイバ３０の長さ方向に垂直とされる。
【００３８】
また、単芯光ファイバ３０の一端面ＳＥ１におけるコア端面ＣＦ以外の面領域ＦＡは、当該コア端面ＣＦの周縁から外側に向けて、単芯光ファイバ３０の一端面ＳＥ１とは逆の端面側へ傾斜している。
【００３９】
本実施形態の場合、面領域ＦＡはコア端面ＣＦの中心Ｃから離れた位置ほど、当該位置の法線Ｌと前記単芯光ファイバの軸Ｘとの角度Ｇが増す円弧状とされ、例えば球帯側面形状とされる。球帯とは、球を平行な２平面できったときその２平面に挟まれる部分をいい、球帯側面とは、当該部分の球面をいう。なお、面領域ＦＡの周縁近傍は平坦に近似し、当該周縁近傍から離れるほど大きくカーブしている。
【００４０】
図４は、第１実施形態におけるクロストーク測定方法のフローチャートを示す図である。図４に示すように、クロストーク測定方法は、準備工程Ｐ１、光軸調整工程Ｐ２と、測定工程Ｐ３と、算出工程Ｐ４とを主に備える。
【００４１】
準備工程Ｐ１は、単芯光ファイバ３０を準備する工程である。具体的には、図３に示したように、単芯光ファイバ３０の一端面ＳＥ１におけるコア端面ＣＦが単芯光ファイバ３０の長さ方向に垂直な平坦とされ、当該コア端面ＣＦ以外の面領域ＦＡが例えば球帯側面形状とされた単芯光ファイバ３０が準備される。
【００４２】
なお、このような単芯光ファイバ３０の一端面ＳＥ１を形成する手法としては、例えば、単芯光ファイバの先端表面を、アーク放電によりあぶるといった手法などを挙げることができる。
【００４３】
光軸調整工程Ｐ２は、マルチコアファイバ１０の一端面ＭＥ１と単芯光ファイバ３０の一端面ＳＥ１とを隙間を隔てて対向させ、マルチコアファイバ１０における光入射対象のコアと、単芯光ファイバ３０の単芯コア３１とを光軸合わせする工程である。
【００４４】
具体的には、図１に示したように、マルチコアファイバ１０の一端面ＭＥ１と単芯光ファイバ３０の一端面ＳＥ１とを隙間を隔てて対向するよう、当該マルチコアファイバ１０と単芯光ファイバ３０とが配置される。その後、光入射対象のコアと単芯コア３１とが光軸合わせされる。
【００４５】
測定工程Ｐ３は、マルチコアファイバ１０の端面ＭＥ２側における光入射対象のコア端に入射され、単芯光ファイバ３０の端面ＳＥ２側における単芯コア端から出射する光のパワーを測定する工程である。
【００４６】
具体的には、光源２０からマルチコアファイバ１０の端面ＭＥ２における光入射対象のコア端に光が出射され、当該光入射対象のコアと単芯コア３１とを順次伝播して、単芯光ファイバ３０の端面ＳＥ２側における単芯コア端から出射する光がパワーメータ４０によって受光され測定される。
【００４７】
本実施形態の場合、光入射対象のコアを中央コア１１Ａとして上記光軸調整工程Ｐ２及び測定工程Ｐ２が順次実行された後、当該光入射対象のコアを隣接コア１１Ｂとして上記光軸調整工程Ｐ２及び測定工程Ｐ２が順次実行される。このように実行することで、第１光パワー（光Ｌ１（図１）のパワー）と、第２光パワー（光Ｌ２（図１）のパワー）とが測定される。
【００４８】
算出工程Ｐ４は、第１光パワーと第２光パワーとの比を算出する工程である。具体的には、例えば第１光パワーをリファレンスとし、当該第１光パワーに対する第２光パワーの比が算出される。
【００４９】
以上説明したように、本実施形態のクロストーク測定方法では、単芯光ファイバ３０の一端面ＳＥ１におけるコア端面ＣＦ以外の面領域ＦＡが球帯側面形状とされており、当該コア端面ＣＦの周縁から外側に向けて、単芯光ファイバ３０の端面ＳＥ２側へ傾斜している。
【００５０】
図５は、マルチコアファイバ１０から生じる迷光の様子を示す図である。具体的に図５の（Ａ）は単芯光ファイバ３０の一端面ＳＥ１が平坦である場合における迷光の様子を示し、図５の（Ｂ）は単芯光ファイバ３０の一端面ＳＥ１が図３に示した形状である場合における迷光の様子を示している。
【００５１】
なお、図５の（Ａ）及び（Ｂ）におけるＬ３はクロストーク光を示し、Ｌ１１はクロストーク光Ｌ３から生じる迷光を示し、Ｌ１２はクラッドを伝播して漏れ出る迷光を示している。
【００５２】
図５の（Ａ）と（Ｂ）との比較から分かるように、単芯光ファイバ３０の面領域ＦＡが傾斜していた場合、マルチコアファイバ１０を伝搬する光から生じる迷光Ｌ１１，Ｌ１２が、単芯コア３１から遠ざかるように反射される。したがって、単芯光ファイバ３０の面領域ＦＡが傾斜していた場合、当該面領域ＦＡが平坦である場合に比べて、単芯コア３１への迷光の混入量を小さくすることができる。
【００５３】
このため、単芯コア３１への迷光の混入に起因する測定値の変動を抑制すことができ、この結果、クロストーク特性をより正確に捉えることが可能となる。
【００５４】
また、本実施形態の面領域ＦＡはコア端面ＣＦの中心Ｃから離れた位置ほど、当該位置の法線Ｌと前記単芯光ファイバの軸Ｘとの角度Ｇが増す円弧状とされる。
【００５５】
これにより、面領域ＦＡにおいて外方側の傾斜の程度を大きくしつつも、コア端面ＦＡ周縁部分を、単芯光ファイバ３０の一端面ＳＥ１が平坦である場合と同等の形状とすることが可能となる。このため、単芯光ファイバ３０と光軸合わせされたマルチコアファイバ１０を伝搬する光から生じる迷光を反射させつつも、光軸合わせされるマルチコアファイバ１０と単芯光ファイバ３０とのコア同士の光のフィールド分布を同等とすることができる。したがって、光軸合わせされるマルチコアファイバ１０と単芯光ファイバ３０とのコア同士の結合効率の低下を抑え、当該結合効率の低下に起因して測定値がノイズの影響を受け易くなるといったことを抑えることができる。この結果、クロストーク特性をより一段と正確に捉えることが可能となる。また、比較的簡易に作製することができる。
【００５６】
また、本実施形態の単芯光ファイバ３０の一端面ＳＥ１におけるコア端面ＣＦは、平坦とされ、当該単芯光ファイバ３０の長さ方向に垂直とされる。
【００５７】
したがって、コア端面ＣＦを単芯光ファイバ３０の長さ方向に垂直な平坦としない場合に比べて、単芯コア３１に光軸合わせされるマルチコアファイバ１０の隣接コア１１Ｂから出射する光が単芯光ファイバ３０のコア端面ＣＦで屈折して入射することを低減することができる。
【００５８】
このため、単芯光ファイバ３０のコア端面ＣＦでの入射光の屈折に起因する損失を抑えることができ、この結果、より一段と正確にクロストーク特性をより正確に捉えることが可能となる。
【００５９】
（第２実施形態）
次に、本発明に好適な第２実施形態について図面を用いながら詳細に説明する。なお、第１実施形態と同一又は同等の構成要素については、特に説明する場合を除き、同一の参照符号を付して重複する説明は省略する。
【００６０】
本実施形態が上記第１実施形態と相違する点は、単芯光ファイバ３０の一端面ＳＥ１における形状のみである。
【００６１】
図６は、第２実施形態における単芯光ファイバ３０の一端部分を示す図である。図６に示すように、単芯光ファイバ３０の一端面ＳＥ１におけるコア端面ＣＦは、上記第１実施形態と同様に、当該単芯光ファイバ３０の長さ方向に垂直な平坦とされる。
【００６２】
これに対し、単芯光ファイバ３０の一端面ＳＥ１におけるコア端面ＣＦ以外の面領域ＦＡの形状については上記第１実施形態と相違している。
【００６３】
具体的に上記第１実施形態では面領域ＦＡがコア端面ＣＦの中心Ｃから離れた位置ほど、当該位置の法線Ｌと前記単芯光ファイバの軸Ｘとの角度Ｇが増す円弧状とされていたのに対し、本実施形態では面領域ＦＡの形状がテーパ状とされている点で相違する。
【００６４】
このテーパ状の一例として、図６では、単芯光ファイバの軸Ｘに対して一定の角度Ｇで傾斜する円錐台側面形状を挙げることができる。円錐台とは、円錐を平行な２平面できったときその２平面に挟まれる部分をいい、円錐台側面とは、当該部分の面をいう。
【００６５】
このように面領域ＦＡの形状がテーパ状とされた場合であっても、上記第１実施形態と同様に、当該コア端面ＣＦの周縁から外側に向けて、単芯光ファイバ３０の一端面ＳＥ１とは逆の端面側へ傾斜している。
【００６６】
したがって、上記第１実施形態と同様に、面領域ＦＡが平坦である場合に比べて、単芯コア３１への迷光の混入量を小さくすることができるため、当該単芯コア３１への迷光の混入に起因する測定値の変動を抑制すことができる。
【００６７】
一方、面領域ＦＡの形状がテーパ状とされた場合、コア端面ＣＦの中心Ｃから離れた位置ほど当該位置の法線Ｌと前記単芯光ファイバの軸Ｘとの角度Ｇが増す円弧状とされる場合に比べて、単芯コア３１への迷光の混入量をより一段と小さくすることができる。この結果、クロストーク特性をより一段と正確に捉えることが可能となる。
【００６８】
上記実施形態が一例として説明されているが、本発明は上記実施形態に限定されるものではない。
【００６９】
例えば、単芯光ファイバ３０の一端面ＳＥ１におけるコア端面ＣＦ以外の面領域ＦＡが、上記第１実施形態では、コア端面ＣＦの中心Ｃから離れた位置ほど当該位置の法線Ｌと前記単芯光ファイバの軸Ｘとの角度Ｇが増す円弧状とされた。一方、上記第２実施形態ではテーパ状とされた。
【００７０】
しかしながら、面領域ＦＡの形状は上記実施形態に限定されるものではない。例えば、双曲面、二次曲面、半球面、四角錐、三角錐等の側面形状と同じ又は近似する形状が面領域ＦＡの形状として適用可能である。要するに、単芯光ファイバ３０の一端面ＳＥ１におけるコア端面ＣＦ以外の面領域ＦＡは、当該コア端面ＣＦの周縁から外側に向けて、単芯光ファイバ３０の一端面ＳＥ１とは逆の端面側へ傾斜していれば良い。
【００７１】
また、上記実施形態では、単芯光ファイバ３０の一端面ＳＥ１には何ら表面加工が施されなかったが、当該一端面ＳＥ１に反射防止膜を付す表面加工が施されていても良い。単芯光ファイバ３０の一端面ＳＥ１に反射防止膜が付された場合、当該反射防止膜が、マルチコアファイバ１０の中央コア１１Ａから出射する光から生じる迷光を吸収するため、単芯光ファイバ３０の単芯コア３１への迷光の混入をより一段と抑制することができる。この結果、より一段と正確にクロストーク特性をより正確に捉えることが可能となる。
【００７２】
また、上記実施形態では、光源２０とマルチコアファイバ１０との間に単芯光ファイバ３０が配置されなかったが、当該単芯光ファイバ３０が配置されても良い。具体的には、マルチコアファイバ１０の端面ＭＥ２と単芯光ファイバ３０の一端面ＳＥ１とは隙間を隔てて対向させ、当該マルチコアファイバ１０の中央コア１１Ａと単芯光ファイバ３０の単芯コア３１とが光軸合わせされれば良い。
【００７３】
また、上記実施形態では、一本の単芯光ファイバ３０における単芯コア３１を中央コア１１Ａに対して光軸合わせして第１光パワーが測定された後、当該単芯コア３１を隣接コア１１Ｂに対して光軸合わせして第２光パワーが測定された。しかしながら、２本の単芯コア３１の一方の単芯コア３１を中央コア１１Ａに対して光軸合わせし、当該２本の単芯コア３１の他方の単芯コア３１を隣接コア１１Ｂに対して光軸合わせして、第１光パワー及び第２光パワーが測定されても良い。
【実施例】
【００７４】
次に、上記実施形態に関する実施例・比較例を挙げて実験した内容について説明する。ただし、本発明は、以下の実施例・比較例に限定されるものではない。
【００７５】
（実施例１）
上記第１実施形態におけるマルチコアファイバ１０及び単芯光ファイバ３０を下記表に示す構造として作製した。
【表１】
0005792679.tif 000002
【００７６】
また、単芯光ファイバ３０の一端面ＳＥ１におけるコア端面ＣＦは、当該単芯光ファイバ３０の長さ方向に垂直な平坦となるように形成した。一方、コア端面ＣＦ以外の面領域ＦＡは、半径２００μｍの球を、マルチコアファイバ１０におけるコア直径の円とその円に平行となる単芯光ファイバ３０におけるコア直径の円との２平面できった球帯の側面と同程度の形状となるように形成した。
【００７７】
このようなマルチコアファイバ１０の一端面ＭＥ１と単芯光ファイバ３０の一端面ＳＥ１とを、１５μｍ隔てて互いに対向させ、中央コア１１Ａと単芯コア３１とを光軸合わせして第１光パワーを測定した。このとき光源２０から出射された光の波長は１．５５μｍとした。
【００７８】
その後、マルチコアファイバ１０の一端面ＭＥ１と単芯光ファイバ３０の一端面ＳＥ１とが１５μｍ隔てて互いに対向した状態のまま、隣接コア１１Ｂと単芯コア３１とを光軸合わせた。そして、波長１．５５μｍの光を光源２０から出射しながら、図７に示すように、マルチコアファイバ１０の軸を中心としてマルチコアファイバ１０を左右へ回転移動して第２光パワーを測定した。
【００７９】
このようにして測定した第１光パワーと第２光パワーとの比（規格化受光パワー）を図８に示す。
【００８０】
図８に示す実施例１の波形から分かるように、マルチコアファイバ１０と単芯光ファイバ３０のコアのずれが大きくなるほど、規格化受光パワーが減少した。
【００８１】
また、別の実験として、上記と同様にして第１光パワーを測定した後、図９に示すように、マルチコアファイバ１０の一端面ＭＥ１と単芯光ファイバ３０の一端面ＳＥ１との距離が一定のまま、当該単芯光ファイバ３０を、マルチコアファイバ１０の隣接コア１１Ｂに光軸が合う位置までスライド移動して第２光パワーを測定した。
【００８２】
このようにして測定した第１光パワーと第２光パワーとの比（規格化受光パワー）を図１０に示す。
【００８３】
図１０に示す実施例１の波形から分かるように、マルチコアファイバ１０の中央コア１１Ａから離れるほど規格化受光パワーが減少し、当該中央コア１１Ａから３７[μｍ]離れた位置から隣接コア１１Ｂに近づくほど規格化受光パワーが上昇した。
【００８４】
（比較例）
上記実施例１の単芯光ファイバ３０に代えて、上記表１の構造の単芯光ファイバの一端面がファイバの長さ方向に垂直な平坦とされるもの（以下、比較ファイバという。）を用いた。それ以外のパラメータは上記実施例１と同じである。
【００８５】
そして、上記実施例１と同様にして第１光パワーを測定するとともに、上記実施例１と同様にしてマルチコアファイバ１０を左右へ回転移動しながら第２光パワーを測定したときの規格化受光パワーを図８に示す。
【００８６】
この図８に示す比較例の波形から分かるように、マルチコアファイバ１０と比較ファイバのコアがずれても、規格化受光パワーはおおむね一定であった。また、図８に示す比較例と実施例１との対比から、単芯光ファイバ３０の一端面ＳＥ１における面領域ＦＡが球帯側面形状とされたことによって、マルチコアファイバ１０の中央コア１１Ａから出射した光から生じる迷光が、単芯光ファイバ３０のコア３１に混入し難くなることが確認できた。
【００８７】
また、上記実施例１と同様にして第１光パワーを測定するとともに、上記実施例１と同様にして比較ファイバをスライド移動しながら第２光パワーを測定したときの規格化受光パワーを図１０に示す。
【００８８】
この図１０に示す比較例と実施例１との対比から、単芯光ファイバ３０は、比較ファイバに比べて、マルチコアファイバ１０の中央コア１１Ａに光軸が合う位置と、隣接コア１１Ｂに光軸が合う位置とでの規格化受光パワーの差が大きいことが確認できた。
【００８９】
すなわち、単芯光ファイバ３０の一端面ＳＥ１における面領域ＦＡが球帯側面形状とされたことによって、マルチコアファイバ１０の中央コア１１Ａから出射した光から生じる迷光が、単芯光ファイバ３０のコア３１に混入し難くなることが確認できた。
【００９０】
（実施例２）
単芯光ファイバ３０の一端面ＳＥ１における面領域ＦＡ以外については、上記実施例１と同じパラメータとした。実施例２の面領域ＦＡは、半径６２．５μｍ、高さ３０μｍの円錐を、マルチコアファイバ１０におけるコア直径の円とその円に平行となる単芯光ファイバ３０におけるコア直径の円との２平面できった円錐台の側面と同程度の形状となるように形成した。
【００９１】
そして、実施例１と同様にして第１光パワーを測定するとともに、上記実施例１と同様にしてマルチコアファイバ１０を左右へ回転移動しながら第２光パワーを測定したときの規格化受光パワーを図１１に示す。なお、図１１に示す比較例の波形は図８に示す波形と同じものである。
【００９２】
図１１に示す比較例と実施例２との対比から、単芯光ファイバ３０の一端面ＳＥ１における面領域ＦＡが円錐台側面形状とされたことによって、マルチコアファイバ１０の中央コア１１Ａから出射した光から生じる迷光が、単芯光ファイバ３０のコア３１に混入し難くなることが確認できた。
【００９３】
また、図８に示す実施例１と図１１に示す実施例２との対比から、マルチコアファイバ１０と単芯光ファイバ３０のコアのずれが大きくなるほど、規格化受光パワーが減少する程度は、実施例１よりも実施例２のほうが大きいことが分かった。
【００９４】
すなわち、単芯光ファイバ３０の一端面ＳＥ１における面領域ＦＡが円錐台側面形状とされた場合、球帯側面形状とされる場合に比べて、マルチコアファイバ１０の中央コア１１Ａからの迷光が、単芯光ファイバ３０のコア３１に混入し難くなることが分かった。
【００９５】
一方、実施例１と同様にして第１光パワーを測定するとともに、上記実施例１と同様にして単芯光ファイバ３０をスライド移動しながら第２光パワーを測定したときの規格化受光パワーを図１２に示す。なお、図１２に示す比較例の波形は図１０に示す波形と同じものである。
【００９６】
図１２に示す比較例と実施例２との対比から、実施例２の単芯光ファイバ３０は、実施例１に比べて、マルチコアファイバ１０の中央コア１１Ａに光軸が合う位置と、隣接コア１１Ｂに光軸が合う位置とでの規格化受光パワーの差が大きいことが確認できた。
【００９７】
すなわち、単芯光ファイバ３０の一端面ＳＥ１における面領域ＦＡが円錐台側面形状とされたことによって、マルチコアファイバ１０の中央コア１１Ａから出射した光から生じる迷光が、単芯光ファイバ３０のコア３１に混入し難くなることが確認できた。
【００９８】
また、図１０に示す実施例１と図１２に示す実施例２との対比から、マルチコアファイバ１０の中央コア１１Ａに光軸が合う位置と、隣接コア１１Ｂに光軸が合う位置とでの規格化受光パワーの差が、実施例１よりも実施例２のほうが大きいことが分かった。
【００９９】
すなわち、単芯光ファイバ３０の一端面ＳＥ１における面領域ＦＡが円錐台側面形状とされた場合、球帯側面形状とされる場合に比べて、マルチコアファイバ１０の中央コア１１Ａからの迷光が、単芯光ファイバ３０のコア３１に混入し難いことが分かった。
【産業上の利用可能性】
【０１００】
本発明に係るクロストーク測定方法は、マルチコアファイバを取り扱う産業上分野において利用可能性がある。
【符号の説明】
【０１０１】
１・・・クロストーク測定装置
１０・・・マルチコアファイバ
２０・・・光源
３０・・・単芯光ファイバ
４０・・・パワーメータ
Ｐ１・・・準備工程
Ｐ２・・・光軸調整工程
Ｐ３・・・測定工程
Ｐ４・・・算出工程
【図１】
0005792679.tif 000003
【図２】
0005792679.tif 000004
【図３】
0005792679.tif 000005
【図４】
0005792679.tif 000006
【図５】
0005792679.tif 000007
【図６】
0005792679.tif 000008
【図７】
0005792679.tif 000009
【図８】
0005792679.tif 000010
【図９】
0005792679.tif 000011
【図１０】
0005792679.tif 000012
【図１１】
0005792679.tif 000013
【図１２】
0005792679.tif 000014